(57)【特許請求の範囲】
【請求項１】
原稿の両面を読取る第１及び第２読取り手段を備えており、第１及び第２読取り手段を用いて、原稿の片面を読取る片面読取りモード及び原稿の両面を読取る両面読取りモードのいずれかを選択的に実行する画像読取り装置において、
片面読取りモードを選択して実行する場合は、１枚目の原稿の両面を前記第１及び第２読取り手段により読取らせ、第１及び第２読取り手段による読取り結果に基づいて、第１及び第２読取り手段のうちの一方を選択し、この選択した一方により次頁以降の原稿の片面のみを読取らせる制御手段を備え、
前記第１及び第２読取り手段は、光を原稿に照射するためのそれぞれの光源を備え、
前記制御手段は、第１及び第２読取り手段のうちの選択しなかった他方の光源への電力供給をオフにして、前記選択した一方の光源の光量を予め設定されたレベルまで上昇させることを特徴とする画像読取り装置。
【請求項２】
原稿の両面を読取る第１及び第２読取り手段を備えており、第１及び第２読取り手段を用いて、原稿の片面を読取る片面読取りモード及び原稿の両面を読取る両面読取りモードのいずれかを選択的に実行する画像読取り装置において、
片面読取りモードを選択して実行する場合は、１枚目の原稿の両面を前記第１及び第２読取り手段により読取らせ、第１及び第２読取り手段による読取り結果に基づいて、第１及び第２読取り手段のうちの一方を選択し、この選択した一方により次頁以降の原稿の片面のみを読取らせる制御手段を備え、
前記第１及び第２読取り手段は、光を原稿に照射するためのそれぞれの光源を備え、
前記制御手段は、第１及び第２読取り手段のうちの選択しなかった他方の光源への電力供給をオフにして、前記選択した一方により読取られた次頁以降の原稿の画像の明るさが第１及び第２読取り手段により読取られた１枚目の原稿の画像の明るさと同様になるように次頁以降の原稿の画像の明るさ又は１枚目の原稿の画像の明るさを補正することを特徴とする画像読取り装置。
【請求項３】
第１及び第２読取り手段のうちの選択しなかった他方への電力供給をオフにすることを特徴とする請求項１又は２に記載の画像読取り装置。
【請求項４】
電力供給をオフにすることは、１枚目の原稿の両面の読取り完了から次頁以降の原稿の片面の読取り開始までの期間に行われることを特徴とする請求項１乃至３のいずれか１つに記載の画像読取り装置。
【請求項５】
原稿の画像を記憶する第１及び第２記憶手段を備えており、
両面読取りモードに際しては、第１読取り手段により読取られた原稿の画像を第１記憶手段に記憶すると共に、第２読取り手段により読取られた原稿の画像を第２記憶手段に記憶し、
片面読取りモードに際しては、第１及び第２記憶手段を併用して、第１及び第２読取り手段のいずれかにより読取られた原稿の画像を記憶することを特徴とする請求項１又は２に記載の画像読取り装置。
【請求項６】
複数の原稿の画像を記憶する記憶手段を備えており、
片面読取りモードに際しては、第１及び第２読取り手段のいずれかにより読取られた各原稿の画像を記憶手段に順次記憶しておき、
記憶手段からの該各原稿の画像の読み出しに際しては、第１及び第２読取り手段のいずれにより読取りが行われたかに応じて、該各原稿の画像の読み出し順序を該各原稿の画像の記憶順序及び該記憶順序とは逆の順序のいずれかに切換えることを特徴とする請求項１又は２に記載の画像読取り装置。
【発明の詳細な説明】
【０００１】
【発明の属する技術分野】
本発明は、原稿の両面の画像を読取る画像読取り装置に関する。
【０００２】
【従来の技術】
周知の様に、この種の画像読取り装置では、原稿をトレイから引き出して搬送しつつ、原稿の両面を２つの読取り手段によりほぼ同時に読取るとことができ、両面読取りモードに際しては、各読取り手段により読取られた原稿の両面の画像を出力し、また片面読取りモードに際しては、一方の読取り手段により読取られた原稿の片面の画像を出力する（特開平１０−１７８５１９号公報、特開平１１−１３６４４２号公報、特開２００１−７７９６０号公報等を参照）。
【０００３】
一方、トレイ上の原稿は、そのまま搬送されたり、その表裏を反転されてから搬送されており、画像読取り装置の機種毎に、その様な原稿の搬送工程が適宜に設定されている。また、通常は、原稿を搬送しつつ、原稿の下向きの面を読取る。このため、片面読取りモードに際しては、トレイ上の原稿をそのまま搬送するか、その表裏を反転して搬送するかにより、トレイ上の原稿の読取るべき面を下方及び上方のいずれに向けるかが決まる。トレイ上の原稿をそのまま搬送する場合は、トレイ上の原稿の読取るべき面を下方に向け、また表裏を反転してから搬送する場合は、トレイ上の原稿の読取るべき面を上方に向ける。また、トレイには、原稿を下向きか上向きのいずれで載置するかを表示していることが多い。
【０００４】
ところが、画像読取り装置の機種毎に、トレイ上の原稿の読取るべき面の向きがまちまちであると、トレイの原稿の向きの表示を見過ごして、原稿の読取るべき面が下向きであるか上向きであるかを迷ったあげく、原稿の向きを間違えて、原稿をトレイ上に載置することがあり、原稿の白い面を読取ってしまうことがあった。あるいは、読取り以前に間違いに気付いても、原稿のセットをやり直さねばならなかった。
【０００５】
このため、先に述べた画像読取り装置では、片面読取りモードに際しても、原稿の両面を２つの読取り手段により読取り、各読取り手段の読取り結果に基づいて、原稿の読取るべき面を判定し、この読取るべき面を読取る読取り手段を選択して、この選択した読取り手段により読取られた原稿の画像を出力し、これにより原稿のセットをやり直さずに済むようにしている。
【０００６】
また、利用者の入力操作により、トレイ上の原稿の下向き面及び上向き面のいずれかを指定させ、この指定された原稿の面を読取る読取り手段を選択し、この選択した読取り手段により読取られた原稿の画像を出力し、これにより原稿のセットをやり直さずに済むようにしている。
【０００７】
【発明が解決しようとする課題】
しかしながら、上記従来の画像読取り装置において、片面読取りモードに際しても、原稿の両面を２つの読取り手段により読取るならば、各読取り手段を常時動作させることになるので、消費電力が大きくなり、非常に不経済であった。また、各読取り手段により読取られたそれぞれの画像を処理する処理回路にとっては、原稿の白い面等を示す画像をも処理することになり、無駄な処理が多くなって、負担が大きくなり、処理時間も長くなり、寿命の低下の原因にもなった。
【０００８】
また、複数の原稿をトレイ上に載置するときには、各原稿の読取るべき面を下向き及び上向きのいずれか一方に揃えている。極希に、各原稿の読取るべき面が揃っていないというミスがあることから、原稿毎に、先に述べた様に各読取り手段の読取り結果に基づいて、原稿の読取るべき面を判定し、この読取るべき面を読取る読取り手段を選択すれば、その様なミスを補うことができる。しかしながら、極希なミスのために、各読取り手段を常時動作させるのは、消費電力、処理回路の負担、処理時間の長期化、寿命の低下等を考慮すると、やはり好ましくはない。
【０００９】
そこで、本発明は、上記従来の問題点に鑑みてなされたものであり、片面読取りモードに際しては、トレイ上の原稿の読取るべき面が下向きであるか上向きであるかを判定して、原稿の読取るべき面を読取りながらも、読取り手段や処理回路の無駄な動作を低減させることが可能な画像読取り装置を提供することを目的とする。
【００１０】
【課題を解決するための手段】
上記課題を解決するために、本発明は、原稿の両面を読取る第１及び第２読取り手段を備えており、第１及び第２読取り手段を用いて、原稿の片面を読取る片面読取りモード及び原稿の両面を読取る両面読取りモードのいずれかを選択的に実行する画像読取り装置において、片面読取りモードを選択して実行する場合は、１枚目の原稿の両面を前記第１及び第２読取り手段により読取らせ、第１及び第２読取り手段による読取り結果に基づいて、第１及び第２読取り手段のうちの一方を選択し、この選択した一方により次頁以降の原稿の片面のみを読取らせる制御手段を備え、前記第１及び第２読取り手段は、光を原稿に照射するためのそれぞれの光源を備え、前記制御手段は、第１及び第２読取り手段のうちの選択しなかった他方の光源への電力供給をオフにして、前記選択した一方の光源の光量を予め設定されたレベルまで上昇させている。
また、本発明は、原稿の両面を読取る第１及び第２読取り手段を備えており、第１及び第２読取り手段を用いて、原稿の片面を読取る片面読取りモード及び原稿の両面を読取る両面読取りモードのいずれかを選択的に実行する画像読取り装置において、片面読取りモードを選択して実行する場合は、１枚目の原稿の両面を前記第１及び第２読取り手段により読取らせ、第１及び第２読取り手段による読取り結果に基づいて、第１及び第２読取り手段のうちの一方を選択し、この選択した一方により次頁以降の原稿の片面のみを読取らせる制御手段を備え、前記第１及び第２読取り手段は、光を原稿に照射するためのそれぞれの光源を備え、前記制御手段は、第１及び第２読取り手段のうちの選択しなかった他方の光源への電力供給をオフにして、前記選択した一方により読取られた次頁以降の原稿の画像の明るさが第１及び第２読取り手段により読取られた１枚目の原稿の画像の明るさと同様になるように次頁以降の原稿の画像の明るさ又は１枚目の原稿の画像の明るさを補正している。
【００１１】
この様な構成の本発明によれば、片面読取りモードを選択して実行する場合は、少なくとも１枚目の原稿の両面を第１及び第２読取り手段により読取り、第１及び第２読取り手段による読取り結果に基づいて、第１及び第２読取り手段のうちの一方を選択している。例えば、１枚目の原稿の一方の面に画像や文字等が印刷され、他方の面全体が白であれば、第１及び第２読取り手段による読取り結果に基づいて、画像や文字等が印刷されている１枚目の原稿の一方の面を読取った第１及び第２読取り手段のいずれかを選択する。そして、２枚目以降の原稿についても、この選択した第１及び第２読取り手段のいずれかにより１枚目の原稿と同様の面を読取る。すなわち、複数の原稿をトレイ上に載置するときには、各原稿の読取るべき面を下向き及び上向きのいずれか一方に揃えることから、第１及び第２読取り手段による１枚目の原稿の読取り結果に基づいて、１枚目の原稿の読取るべき面を選択し、２枚目以降の原稿については、第１及び第２読取り手段のいずれかにより、１枚目の原稿と同様の面を読取る。これにより、トレイ上の各原稿の読取るべき面が下方及び上方のいずれに向けられていても、各原稿の読取るべき面を読取ることができる。また、原稿の読取るべき面が下向きであるか上向きであるかを迷わずに済み、原稿のセットをやり直す必要もない。更に、第１及び第２読取り手段の一方により２枚目以降の原稿を読取っているときに、第１及び第２読取り手段の他方の読取りを停止させることができるので、消費電力が低減され、画像を処理する処理回路の負担が減少され、処理時間も短くなり、寿命の低下を防止することができる。
【００１２】
また、本発明においては、第１及び第２読取り手段のうちの選択しなかった他方への電力供給をオフにしている。あるいは、第１及び第２読取り手段は、光を原稿に照射するためのそれぞれの光源を備えており、第１及び第２読取り手段のうちの選択しなかった他方の光源への電力供給をオフにしている。
【００１３】
この様に第１及び第２読取り手段のうちの選択しなかった他方への電力供給をオフにすることにより、消費電力を低減することができる。
【００１４】
更に、本発明においては、電力供給をオフにすることは、少なくとも１枚目の原稿の両面の読取り完了から次頁以降の原稿の片面の読取り開始までの期間に行われる。
【００１５】
この様な期間に電力供給をオフにすれば、この電力供給のオフにより電圧変動等を生じて、光を原稿に照射する光源の照度が変動したとしても、次頁以降の原稿の読取りに影響が及ぶことはない。
【００１６】
また、本発明においては、第１及び第２読取り手段が両方共に動作するときと、一方が動作するときとのいずれかには、第１及び第２読取り手段による読取りに対して補正を施している。
【００１７】
先に述べた様に片面読取りモードでは、１枚目の原稿の両面を第１及び第２読取り手段により読取らせ、２枚目以降の原稿の片面を第１及び第２読取り手段のいずれかにより読取らせている。このため、１枚目の原稿の両面に対しては、第１及び第２読取り手段の２つの光源の光が照射されて、透光性を有する原稿の両面が明るくなり、２枚目以降の原稿の片面に対しては、第１及び第２読取り手段のいずれか１つの光源の光が照射されるだけとなって、原稿の面が暗くなる。そこで、第１及び第２読取り手段が両方共に動作するときと、一方が動作するときとのいずれかでは、第１及び第２読取り手段による読取りに対して補正を施して、読取られた原稿の画像の明るさを調整し、少なくとも１枚目の原稿の画像の明るさと次頁以降の原稿の画像の明るさを均一にして、画像品質の低下を防止している。
【００１８】
更に、本発明においては、第１及び第２読取り手段の一方が動作するときには、この一方による読取りに対して補正を施している。
【００１９】
この様に第１及び第２読取り手段の一方が動作するときに、この一方による読取りに対して補正を施せば、１つの読取り手段による読取りのみに対して補正を施せば良いので、この補正の処理が簡単になる。
【００２０】
また、本発明においては、第１及び第２読取り手段は、光を原稿に照射するためのそれぞれの光源を備えており、第１及び第２読取り手段による読取りに対する補正は、それぞれの光源の光量に対する補正である。
【００２１】
この様に第１及び第２読取り手段の光源の光量に対する補正により、原稿の画像の明るさを調整することができる。
【００２２】
更に、本発明においては、第１及び第２読取り手段による読取りに対する補正は、第１及び第２読取り手段により読取られた原稿の画像に対する補正である。
【００２３】
この様に読取られた原稿の画像に対する補正により、原稿の画像の明るさを調整することができる。
【００２４】
また、本発明においては、原稿の画像を記憶する第１及び第２記憶手段を備えており、両面読取りモードに際しては、第１読取り手段により読取られた原稿の画像を第１記憶手段に記憶すると共に、第２読取り手段により読取られた原稿の画像を第２記憶手段に記憶し、片面読取りモードに際しては、第１及び第２読取り手段のいずれかにより読取られた原稿の画像を記憶するために、第１及び第２記憶手段を共に用いている。
【００２５】
この様に両面読取りモードに際しては、第１及び第２記憶手段を第１及び第２読取り手段に割り当て、また片面読取りモードに際しては、第１及び第２記憶手段を第１及び第２読取り手段の一方に割り当てれば、片面読取りモードでの画像の記憶容量が２倍となる。
【００２６】
更に、本発明においては、複数の原稿の画像を記憶する記憶手段を備えており、片面読取りモードに際しては、第１及び第２読取り手段のいずれかにより読取られた各原稿の画像を記憶手段に順次記憶しておき、記憶手段からの該各原稿の画像の読み出しに際しては、第１及び第２読取り手段のいずれにより読取りが行われたかに応じて、該各原稿の画像の読み出し順序を該各原稿の画像の記憶順序及び該記憶順序とは逆の順序のいずれかに切換えている。
【００２７】
ここでは、複数の原稿を下方に向けたときと上方に向けたときとを想定している。各原稿を下方に向けたときには、各原稿の画像を一方の読取り手段により読取ることになる。そして、各原稿を最も上側のものから逐次引き出して搬送するものとすると、各原稿を最終ページから逐次引き出し、各原稿の画像を一方の読取り手段により読取って記憶手段に順次記憶することになる。この場合は、各原稿の画像を該各原稿の画像の記憶順序とは逆の順序で読み出せば、各原稿の画像を第１ページから読み出して出力することができる。また、各原稿を上方に向けたときには、各原稿の画像を他方の読取り手段により読取ることになる。そして、同じく各原稿を最も上側のものから逐次引き出して搬送するものとすると、各原稿を第１ページから逐次引き出し、各原稿の画像を他方の読取り手段により読取って記憶手段に順次記憶することになる。この場合は、各原稿の画像を該各原稿の画像の記憶順序で読み出せば、各原稿の画像を第１ページから読み出して出力することができる。尚、各原稿を最も上側のものから逐次引き出して搬送する場合は、各原稿を下方に向けたときと上方に向けたときとで、各原稿の読み出し順序を逆にすれば良い。
【００２８】
【発明の実施の形態】
以下、本発明の実施の形態を添付図面を参照して詳細に説明する。
【００２９】
図１は、本発明の画像読取り装置の一実施形態を示す側面図である。本実施形態の画像読取り装置は、第１読取り部１０を設けた下部筐体１と、第２読取り部２３を設けた上部筐体２と、第１及び第２読取り部１０，２３の少なくとも一方により読み取られた原稿を受け取って溜める排紙トレイ３とを備えている。
【００３０】
上部筐体２は、その奥の一辺をヒンジ（図示せず）により下部筐体１の一辺に枢支され、その手前部分を上下させることにより開閉される。上部筐体２を開いたときには、下部筐体１のプラテンガラス１１が開放される。原稿マット２１は、白色のマットであり、上部筐体２が閉められたときに、原稿をプラテンガラス１１上に押し付けて密着させる。
【００３１】
下部筐体１の第１読取り部１０は、プラテンガラス１１、第１走査ユニット１２、第２走査ユニット１３、結像レンズ１４、及びＣＣＤ（Charge Coupled Device）１５を備えている。第１走査ユニット１２は、露光ランプ（ハロゲンランプ、キセノンランプ、蛍光灯等）５０、及び第１反射ミラー５１を備えており、プラテンガラス１１に沿って第１ポジションＰ1から第２ポジションＰ2の方向へと、センサ（図示せず）により検出された原稿のサイズに応じた距離だけ一定速度Ｖで移動しながら、プラテンガラス１１上の原稿を露光ランプ５０によって露光し、その反射光を第１反射ミラー５１により反射して第２走査ユニット１３へと導き、これにより原稿の下面の画像を副走査方向に走査する。第２走査ユニット１３は、第２及び第３反射ミラー５２，５３を備えており、第１走査ユニット１２に追従して速度Ｖ／２で移動しつつ、原稿の反射光を第２及び第３反射ミラー５２，５３により反射してレンズ１４へと導く。レンズ１４は、原稿の反射光をＣＣＤ１５に集光して、原稿の下面の画像をＣＣＤ１５上に結像させる。ＣＣＤ１５は、原稿の画像を繰り返し主走査方向に走査し、その度に、１主走査ラインの画像信号を出力する。この画像信号は、アナログ信号であり、後述する様に、この画像信号が画像処理部によってデジタルの画像データに変換され、この画像データが画像メモリに記憶される。
【００３２】
第１及び第２走査ユニット１２，１３には、それぞれのプーリー（図示せず）を設けており、これらのプーリーにワイヤー（図示せず）を架け渡し、このワイヤーをステッピングモータにより駆動して、第１及び第２走査ユニット１２，１３を同期移動させている。
【００３３】
尚、待機中においては、第１走査ユニット１２を第１ポジションＰ1と第３ポジションＰ3の中間のホームポジション（図示せず）に位置決めしている。
【００３４】
また、第１及び第２走査ユニット１２，１３の代わりに、露光ランプ、レンズ及びＣＣＤ等を一体化してなる縮小読取り光学系もしくは等倍読取り光学系のユニットを走査速度Ｖで走査しても構わない。
【００３５】
第１読取り部１０は、静止原稿だけではなく、原稿搬送部７０により搬送されている原稿の下面の画像をも読取る。この場合は、第１読取り部１０の第１走査ユニット１２を第３ポジションＰ3に移動して位置決めし、第２走査ユニット１３を所定位置に位置決めする。この状態で、原稿を原稿トレイ２２から引き出し、原稿をプラテンガラス１１の上側を通じて排紙トレイ３へと搬送する。この搬送に際し、第１走査ユニット１２の露光ランプ５０により、原稿の下面をプラテンガラス１１を介して照射し、原稿の反射光を第１及び第２走行ユニットの各反射ミラーによりレンズ１４へと導き、原稿の反射光をレンズ１４によりＣＣＤ１５に集光させ、原稿の下面の画像をＣＣＤ１５上に結像させ、これにより原稿の下面の画像を読み取る。
【００３６】
一方、上部筐体２の第２読取り部２３は、原稿搬送部７０による原稿の搬送に際し、この原稿の上面の画像を読み取る。この第２読取り部２３は、プラテンガラス１１の上方に配置されており、原稿の上面を照射する露光ランプ（ＬＥＤアレイ、蛍光灯等）、画素毎に、原稿の反射光を集光するセルフォックレンズアレイ、及びセルフォックレンズアレイを通じて受光した原稿の反射光を光電変換して、アナログの画像信号を出力する密着イメージセンサ（CIS；Contact Image Sensor）等を備えている。
【００３７】
原稿搬送部７０は、原稿を載置するための原稿トレイ２２、原稿トレイ２２上の各原稿を第１原稿搬送路３２へと１枚ずつ逐次引き出して送り出す原稿呼込み部３０、原稿を搬送する各搬送ローラ３４を設けた第１原稿搬送路３２、原稿をプラテンガラス１１上で第２読取り部２３へと搬送するベルト搬送部３３を設けた第２原稿搬送路３５、及び原稿を排紙トレイ３に排出する各排紙ローラ４０等を備えている。
【００３８】
原稿トレイ２２には、１００枚程度の各原稿を載置することができ、光学式センサ及びアクチュエータからなる原稿センサ４３を設けて、この原稿センサ４３により原稿を検出している。昇降プレート６２は、支軸６４により枢支されており、昇降モータ６１の出力軸の回転を歯車ユニットを介して支軸６４に伝達して、昇降プレート６２を回転移動させ、昇降プレート６２の右端を昇降させる。原稿トレイ２２は、支軸２２ａにより枢支され、その右端のリブ６３を昇降プレート６２の右端に載せられており、昇降プレート６２の右端の昇降に伴い、原稿トレイ２２の右端も昇降する。
【００３９】
原稿トレイセンサ４２は、反射タイプのセンサ等であり、原稿トレイ２２の待機位置を検出する。この原稿トレイセンサ４２の検出出力に基づいて、昇降モータ６１を駆動制御し、原稿トレイ２２を待機位置まで移動させる。原稿トレイ２２の待機位置は、サービスマンや管理者等により予め設定されており、原稿トレイ２２上の原稿が最も利用頻度の高い枚数であるときに、原稿が原稿呼込み部３０により引き出され易い様に設定される。通常は、最も利用頻度の高い枚数が１枚乃至数枚程度であるため、原稿トレイ２２の待機位置として、最も高い位置が設定される。
【００４０】
原稿呼込み部３０は、原稿を原稿トレイ２２から引き出す呼込みローラ３７、及び原稿を１枚ずつ分離して第１原稿搬送路３２へと送り込む分離ローラ３６等を備えている。呼込みローラ３７をアーム３１の一端に軸支し、このアーム３１の他端を分離ローラ３６の回動軸により軸支している。また、ソレノイド等からなる駆動部３９をアーム３１に連結しており、このアーム３１を駆動部３９により回転移動させて、呼込みローラ３７の高さを呼込みローラ位置センサ４１により検出しつつ、呼込みローラ３７を原稿トレイ２２上の原稿に押し付けることができる。分離ローラ３６は、トルクリミッタにより回転動作を制御されるローラや摩擦パッドに当接して設けられている。
【００４１】
待機状態のときには、アーム３１をコイルスプリング等の付勢部３８により引っ張り上げ、呼込みローラ３７を持ち上げて、原稿トレイ２２を解放し、原稿を原稿トレイ２２上に載せ易くしている。原稿が原稿トレイ２２上に載置されたときには、駆動部３９を駆動制御して、呼込みローラ３７を原稿トレイ２２上の原稿に押し付け、呼込みローラ３７による原稿の引き出しを可能にする。原稿トレイ２２上の各原稿は、呼込みローラ３７により逐次引き出され、分離ローラ３６により１枚ずつに分離されて搬送される。
【００４２】
第１原稿搬送路３２は、湾曲した搬送ガイド、各搬送ローラ３４、及び原稿の搬送タイミングを検出する給紙センサ４４等を備えている。この第１原稿搬送路３２は、原稿を原稿トレイ２２から受け取ると、この原稿を搬送ガイドを通じて搬送し、第２原稿搬送路３５へと導く。
【００４３】
第２原稿搬送路３５は、ウレタン等からなるエンドレスベルトを駆動ローラと従動ローラに掛け渡したベルト搬送部３３を備えており、ベルト搬送部３３とプラテンガラス１１間を原稿を案内する搬送ガイドとしている。ベルト搬送部３３から下流側に１０数ｍｍ離間した位置が第１及び第２読取り部１０，２３による原稿の読取りポイントとなっている。この第２原稿搬送路３５は、原稿を該読取りポイントを通じて各排紙ローラ４０へと導く。各排紙ローラ４０は、原稿を排紙トレイ３に排出する。排紙センサ４５は、原稿が排紙トレイ３に排出されたか否かを検出する。
【００４４】
この様な構成の画像読取り装置では、原稿を静止させて、第１読取り部１０によって原稿の画像を読み取る静止読取りモード、原稿を搬送しながら、第２読取り部２３によって原稿の画像を読み取る片面読取りモード、及び原稿を搬送しながら、第１及び第２読取り部１０，２３によって原稿の両面の画像を読み取る両面読取りモードのいずれかを選択して設定することができる。
【００４５】
静止読取りモードの場合は、上部筐体２を開き、原稿をプラテンガラス１１上に載置してから、上部筐体２を閉じる。第１読取り部１０では、後述する読取り制御部からの指示に応答して、第１走査ユニット１２をホームポジションから第１ポジションＰ1に移動し、更に第１走査ユニット１２を第１ポジションＰ1から第２ポジションＰ2の方向へと、原稿のサイズに応じた距離だけ移動し、これに第２走査ユニット１３を追従させつつ、プラテンガラス１１上の原稿の下面を照射し、原稿の下面の画像をＣＣＤ１５により読取る。
【００４６】
片面読取りモードの場合は、原稿を原稿トレイ２２に載置する。後述する読取り制御部からの指示に応答して、第１読取り部１０の第１走査ユニット１２をホームポジションから第３ポジションＰ3に移動して位置決めし、第２走査ユニット１３を所定位置に位置決めする。この後、原稿搬送部７０により原稿トレイ２２上の原稿を引き出して搬送しつつ、原稿を第１及び第２読取り部１０，２３間へと導き、更に原稿を排紙トレイ３へと排出する。そして、第１及び第２読取り部１０，２３により読取られた原稿の両面の画像のいずれかを選択して出力する。
【００４７】
両面読取りモードの場合も、原稿を原稿トレイ２２に載置する。後述する読取り制御部からの指示に応答して、第１読取り部１０の第１走査ユニット１２をホームポジションから第３ポジションＰ3に移動して位置決めし、第２走査ユニット１３を所定位置に位置決めする。この後、原稿搬送部７０により原稿トレイ２２上の原稿を引き出して搬送しつつ、原稿を第１及び第２読取り部１０，２３間へと導き、更に原稿を排紙トレイ３へと排出する。そして、第１及び第２読取り部１０，２３により読取られた原稿の両面の画像のいずれをも出力する。
【００４８】
図２は、本実施形態の画像読取り装置の構成を示すブロック図である。
【００４９】
図２において、第１光源制御基板１０１は、第１読取り部１０の露光ランプ５０を点灯及び消灯する。また、第２光源制御基板１０２は、第２読取り部２３の露光ランプを点灯及び消灯する。
【００５０】
第１読取り走査ユニット駆動モータ１０３は、第１及び第２走査ユニット１２，１３を移動させるための駆動源である。第１読取り走査ユニット位置センサ群１０４は、第１読取り部１０の第１走査ユニット１２が第１乃至第３ポジションＰ1〜Ｐ3のいずれかに位置決めされたときに、そのポジションを検出して読取り制御部１０５に通知する。読取り制御部１０５は、第１読取り走査ユニット駆動モータ制御基板１０６を通じて第１読取り走査ユニット駆動モータ１０３を駆動制御しており、第１走査ユニット１２の第１乃至第３ポジションＰ1〜Ｐ3及び第１読取り走査ユニット駆動モータ１０３の回転角度に基づいて、第１走査ユニット１２の位置を検出しつつ、第１読取り走査ユニット駆動モータ１０３を正逆回転させて、第１及び第２走査ユニット１２，１３を移動させる。
【００５１】
原稿供給搬送駆動モータ１１１は、各搬送ローラ３４、ベルト搬送部３３、及び各排紙ローラ４０を回転させるための駆動源である。原稿検出センサ群１１３は、原稿センサ４３、給紙センサ４４、及び排紙センサ４５であり、原稿の位置を検出して読取り制御部１０５に通知する。読取り制御部１０５は、原稿検出センサ群１１３による原稿の検出タイミング及び内蔵のタイマーによる計時時間に応じて、原稿供給搬送駆動モータ制御基板１１４を通じて原稿供給搬送駆動モータ１１１を駆動制御し、原稿を適確なタイミングで搬送する。
【００５２】
原稿トレイ呼込みローラ位置検出センサ群１１５は、呼込みローラ位置センサ４１及び原稿トレイセンサ４２である。読取り制御部１０５は、呼込みローラ位置センサ４１により呼込みローラ３７を持ち上げていることが検出されていれば、原稿トレイセンサ４２の検出出力に基づき、原稿トレイ昇降モータ制御基板１１６を通じて原稿トレイ昇降モータ６１を駆動制御し、原稿トレイ２２を待機位置まで移動させる。また、読取り制御部１０５は、呼込みローラ駆動部１１８を通じて呼込みローラ３７を回転させ、原稿を原稿トレイ２２から引出す。
【００５３】
操作部１１７は、ユーザにより操作され、読取りモード、画像の濃度や縮小拡大率等を読取り制御部１０５に指示する。
【００５４】
一方、第１読取り部１０のＣＣＤ１５から画像信号が出力されると、この画像信号が第１画像処理部１２１に加えられる。また、第２読取り部２３の密着イメージセンサから画像信号が出力されると、この画像信号が第２画像処理部１２２に加えられる。ＣＣＤ１５及び密着イメージセンサの光電変換率や出力レベル等が相互に異なるため、それぞれに専用の第１及び第２画像処理部１２１，１２２を設けている。
【００５５】
第１及び第２画像処理部１２１，１２２は、同様の構成であり、各アナログ信号処理部１３１，１４１、各Ａ／Ｄ変換部１３２，１４２、各シェーディング補正部１３３，１４３、各フィルタ処理部１３４，１４４、各濃度変換部１３５，１４５、各データ比較処理部１３６，１４６、及び各画像データ補正部１３７，１４７を備えている。
【００５６】
各アナログ信号処理部１３１，１４１は、ＣＣＤ１５及び密着イメージセンサからのそれぞれの画像信号に対して、レベル変換処理、サンプルホールド処理、及び信号増幅処理を施してから、これらの画像信号を出力する。
【００５７】
各Ａ／Ｄ変換部１３２，１４２は、各アナログ信号処理部１３１，１４１からのそれぞれの画像信号をアナログデジタル変換して、それぞれの画像データを出力する。
【００５８】
各シェーディング補正部１３３，１４３は、各Ａ／Ｄ変換部１３２，１４２からのそれぞれの画像データに対して、黒再生処理及び白再生処理を施してから、これらの画像データを出力する。黒再生処理では、ＣＣＤ１５（又は密着イメージセンサ）の暗示出力を画像読取り時のＣＣＤ１５（又は密着イメージセンサ）の出力から減算するという処理を画像データに施し、暗示出力の影響を画像データから排除する。白再生処理では、各画素毎に、基準白板読取り時のＣＣＤ１５（又は密着イメージセンサ）の出力に基づいて、画像読取り時のＣＣＤ１５（又は密着イメージセンサ）の出力を正規化するという処理を画像データに施し、光量むら、光学部品の影響、各画素を読み取るそれぞれの光電変換素子のバラツキを補正する。
【００５９】
各フィルタ処理部１３４，１４４は、各シェーディング補正部１３３，１４３からのそれぞれの画像データに対して、空間フィルタリング処理を施してから、これらの画像データを出力する。具体的には、画像の高周波成分を強調して、画像のぼけを修復するという処理を画像データに施す。レンズやミラー等の光学部品、各画素を読取るそれぞれの光電変換素子のアパーチャ開口度、ＣＣＤ１５及び密着イメージセンサの転送効率や残像、あるいは物理的な走査による積分効果等を原因として、ＣＣＤ１５及び密着イメージセンサからの各画像信号にＭＴＦ（Modulation Transfer Function）の劣化を生じるので、各フィルタ処理部１３４，１４４により該各画像信号のＭＴＦの劣化を補償している。
【００６０】
各濃度変換部１３５，１４５は、予め設定されたデータ変換用のルックアップテーブルを参照して、各フィルタ処理部１３４，１４４からのそれぞれの画像データに対して、濃度変換処理を施してから、これらの画像データを出力する。例えば、画像を２値化画像に変換する場合は、画像データを２値化する。また、多値画像の場合は、画像データに対して、予め設定された濃度特性に基づく濃度変換処理を施して、画質を向上させる。
【００６１】
各データ比較処理部１３６，１４６は、各濃度変換部１３５，１４５からのそれぞれの画像データを予め設定された基準画像データと比較して、これらの画像データによって示されるそれぞれの画像が原稿の表面及び裏面のいずれであるかを判定する。例えば、一方の画像データによって示される画像全体が白であれば、この画像が原稿の裏面のものであると判定し、他方の画像データによって示される画像が原稿の表面のものであると判定し、この判定結果を読取り制御部１０５に通知する。あるいは、各画像データによって示されるそれぞれの画像全体が共に白であれば、この旨を読取り制御部１０５に通知する。読取り制御部１０５は、各画像と原稿の表面及び裏面の対応関係に基づいて、第１及び第２画像処理部１２１，１２２を制御する。あるいは、原稿の表面及び裏面を示すそれぞれの画像全体が共に白かったり、共に白くなければ、例えば「原稿の読取りを行うことができません」というメッセージを表示画面（図示せず）に表示する。
【００６２】
各画像データ補正部１３７，１４７は、各データ比較処理部１３６，１４６からのそれぞれの画像データを受け取ると、これらの画像データによって示されるそれぞれの画像の明るさを補正する。尚、各画像データ補正部１３７，１４７は、読取り制御部１０５の指示があったときにのみ動作する。
【００６３】
こうして第１画像処理部１２１により処理された画像データは、第１画像メモリ１５１に転送され、１頁単位で第１画像メモリ１５１に記憶される。同様に、第２画像処理部１２２により処理された画像データは、第２画像メモリ１５２に転送され、１頁単位で第２画像メモリ１５２に記憶される。
【００６４】
ところで、この様な構成の画像読取り装置においては、先に述べた片面読取りモードに際し、１枚目の原稿の両面の画像を第１及び第２読取り部１０，２３により読取り、第１及び第２読取り部１０，２３の読取り結果に応じて、１枚目の原稿の表面を読取った第１及び第２読取り部１０，２３のいずれかを選択し、２枚目以降の原稿の読取りのときには、第１及び第２読取り部１０，２３のうちの選択された一方を動作させると共に、他方の露光ランプを消灯している。これにより、原稿トレイ２２上の各原稿の表面が下方及び上方のいずれに向いていても、各原稿の表面を読取ることができ、また２枚目以降の原稿の読取りのときには、原稿の裏面を照明する露光ランプを消灯して、消費電力を低減することができる。
【００６５】
次に、図３のフローチャートに従って、片面読取りモードでの処理過程をより詳しく述べる。
【００６６】
まず、読取り制御部１０５は、原稿センサ４３の検出出力に基づいて、原稿が原稿トレイ２２に載置されるのを待機している（ステップＳ１で「Ｎｏ」）。そして、原稿が原稿トレイ２２に載置されると（ステップＳ１で「Ｙｅｓ」）、読取り制御部１０５は、第１読取り部１０の第１走査ユニット１２を第３ポジションＰ3に移動して位置決めし、第２走査ユニット１３を所定位置に位置決めし、第１読取り部１０の露光ランプ５０及び第２読取り部２３の露光ランプを点灯して、原稿の読取り可能な状態を設定する（ステップＳ２）。また、このときには、ユーザによる操作部１１７の入力操作で片面読取りモード及び両面読取りモードのいずれかが指示される。読取り制御部１０５は、片面読取りモードが指示されると、第１及び第２画像処理部１２１，１２２の各データ比較処理部１３６，１４６に対して１枚目の原稿の表面及び裏面の判定を指示する。
【００６７】
尚、両面読取りモードが指示されたときには、１枚目の原稿の表面及び裏面の判定を指示しない。また、原稿が原稿トレイ２２に載置されたときには、静止読取りモードが行われることはない。
【００６８】
この後、読取り制御部１０５は、原稿の読取り開始の指示を待ち（ステップＳ３で「Ｎｏ」）、スタートキー（図示せず）の押下により原稿の読取り開始が指示されると（ステップＳ３で「Ｙｅｓ」）、呼込みローラ駆動部１１８を通じて呼込みローラ３７を回転させ、原稿を原稿トレイ２２から引出し、原稿供給搬送駆動モータ制御基板１１４を通じて原稿供給搬送駆動モータ１１１を駆動制御し、原稿を適確なタイミングで搬送する（ステップＳ４）。これにより１枚目の原稿は、原稿トレイ２２から引出され、第１及び第２原稿搬送路３２，３５に沿って搬送され、第１及び第２読取り部１０，２３間を通過し、排紙トレイ３へと排出される。この搬送の途中で、第１及び第２読取り部１０，２３により１枚目の原稿の両面の画像が読取られ（ステップＳ５）、この原稿の両面の画像が第１及び第２画像処理部１２１，１２２により処理されて、これらの画像がそれぞれの画像データとして第１及び第２画像メモリ１５１，１５２に記憶される（ステップＳ６）。
【００６９】
また、先に述べた様に片面読取りモードが指示され、各データ比較処理部１３６，１４６に対して１枚目の原稿の表面及び裏面の判定が指示されていれば、１枚目の原稿の表面及び裏面の判定結果が各データ比較処理部１３６，１４６から読取り制御部１０５に通知される。ただし、両面読取りモードが指示されていれば、各データ比較処理部１３６，１４６による判定がなされることはない。
【００７０】
次に、読取り制御部１０５は、片面読取りモードが指示されていれば（ステップＳ７で「Ｙｅｓ」）、データ比較処理部１３６の判定結果が原稿の裏面であり、かつデータ比較処理部１４６の判定結果が原稿の表面であるか否か、つまり第１読取り部１０により読取られた原稿の下向き面が裏面であり、第２読取り部２３により読取られた原稿の上向き面が表面であるか否かを判定する（ステップＳ８）。例えば、原稿の下向き面が裏面であり、第２読取り部２３により読取られた原稿の上向き面が表面であれば（ステップＳ８で「Ｙｅｓ」）、読取り制御部１０５は、第２画像メモリ１５２内の画像データ、つまり原稿の上向き面の画像を示す画像データを外部機器１６１に出力する（ステップＳ９）。
【００７１】
そして、読取り制御部１０５は、２枚目以降の原稿の読取りが開始される以前に、第１読取り部１０の露光ランプ５０を消灯して、第１読取り部１０による読取り動作を中断し、第２読取り部２３による読取り動作を継続させておく（ステップＳ１０）。また、読取り制御部１０５は、第２読取り部２３の露光ランプの照度を予め設定されたレベルまで上昇させる。これは、仮に露光ランプの照度を変更しなければ、１枚目の原稿の読取りのときには、第１及び第２読取り部１０，２３の露光ランプを共に点灯して、２つの露光ランプにより原稿を照明することから、透光性を有する原稿の両面が明るくなり、２枚目以降の原稿の読取りのときには、いずれか一方の露光ランプを消灯して、他方の１つの露光ランプにより原稿を照明することから、原稿の面が暗くなるためである。２枚目以降の原稿の読取りの開始前に、第２読取り部２３の露光ランプの照度を予め設定されたレベルまで上昇させておけば、２枚目以降の原稿の画像を１枚目の原稿の画像と同様の明るさにすることができる。また、２枚目以降の原稿の読取りの開始前に、第１読取り部１０の露光ランプ５０を消灯にすれば、この露光ランプ５０への電力供給のオフにより電圧変動等を生じて、第２読取り部２３の露光ランプの照度が変動したとしても、２枚目以降の原稿の読取りに影響を及ぼさずに済む。
【００７２】
更に、読取り制御部１０５は、原稿センサ４３の検出出力に基づいて、２枚目以降の原稿が原稿トレイ２２にあるか否かを判定し（ステップＳ１１）、２枚目以降の原稿があれば（ステップＳ１１で「Ｙｅｓ」）、２枚目の原稿を原稿トレイ２２から引出して搬送し、この原稿の上向き面の画像を第２読取り部２３により読取り、この画像を第２画像メモリ１５２に一旦記憶してから外部機器１６１に出力する（ステップＳ１２）。２枚目以降の原稿が複数あれば、これらの原稿を逐次引出して搬送し、これらの原稿の上向き面の画像を第２読取り部２３により順次読取り、これらの画像を第２画像メモリ１５２を介して外部機器１６１に順次出力する。
【００７３】
尚、原稿トレイ２２上の各原稿の画像の全てを読取って第２画像メモリ１５２に記憶してから、該各原稿の画像を外部機器１６１に出力しても構わない。また、各原稿の上向き面を読取る場合は、各原稿の第１ページが原稿トレイ２２上で最も上側にあり、最終ページ#が最も下側にあるので、第１ページから最終ページへと各原稿が逐次引き出されて、各原稿の画像が第２画像メモリ１５２に順次記憶されることになる。このため、原稿トレイ２２上の各原稿の画像の全てを読取って第２画像メモリ１５２に記憶してから、各原稿の画像を第２画像メモリ１５２から記憶順序と同じ順序で読み出して外部機器１６１に出力すれば、第１ページから最終ページへと各原稿の画像を順次出力することができる。更に、各原稿の上向き面の画像を読取る場合は、各原稿の下向き面の画像を読取って第１画像メモリ１５１に記憶することがないので、各原稿の上向き面の画像を記憶するために第１画像メモリ１５１を併用しても構わない。これにより、より多数の画像を記憶することが可能になる。
【００７４】
また、読取り制御部１０５は、データ比較処理部１３６の判定結果が原稿の表面であり、かつデータ比較処理部１４６の判定結果が原稿の裏面であれば、つまり第１読取り部１０により読取られた原稿の下向き面が表面であり、第２読取り部２３により読取られた原稿の上向き面が裏面であれば（ステップＳ８で「Ｎｏ」かつステップＳ２１で「Ｙｅｓ」）、原稿の下向き面の画像を示す画像データを第１画像メモリ１５１から外部機器１６１へと出力する（ステップＳ２２）。そして、読取り制御部１０５は、２枚目以降の原稿の読取りが開始される以前に、第２読取り部２３の露光ランプを消灯にして、第２読取り部２３による読取り動作を中断し、第１読取り部１０による読取り動作を継続させておく（ステップＳ２３）。このとき、読取り制御部１０５は、第１読取り部１０の露光ランプ５０の照度を予め設定されたレベルまで上昇させて、２枚目以降の原稿の画像を１枚目の原稿の画像と同様の明るさにする。
【００７５】
更に、読取り制御部１０５は、原稿センサ４３の検出出力に基づいて、２枚目以降の原稿が原稿トレイ２２にあると判定すれば（ステップＳ２４で「Ｙｅｓ」）、２枚目の原稿を原稿トレイ２２から引出して搬送し、この原稿の下向き面の画像を第１読取り部１０により読取り、この画像を第１画像メモリ１５１に一旦記憶してから外部機器１６１に出力する（ステップＳ２５）。２枚目以降の原稿が複数あれば、これらの原稿を逐次引出して搬送し、これらの原稿の下向き面の画像を第１読取り部１０により順次読取り、これらの画像を第１画像メモリ１５１を介して外部機器１６１に順次出力する。
【００７６】
尚、原稿トレイ２２上の各原稿の画像の全てを読取って第１画像メモリ１５１に記憶してから、該各原稿の画像を外部機器１６１に出力しても構わない。また、原稿の下向き面の画像を読取る場合は、各原稿の最終ページが原稿トレイ２２上で最も上側にあり、第１ページ#が最も下側にあるので、最終ページから第１ページへと各原稿が逐次引き出されて、各原稿の画像が第１画像メモリ１５１に順次記憶されることになる。このため、原稿トレイ２２上の各原稿の画像の全てを読取って第１画像メモリ１５１に記憶してから、各原稿の画像を第１画像メモリ１５１から記憶順序とは逆の順序で読み出して外部機器１６１に出力すれば、第１ページから最終ページへと各原稿の画像を順次出力することができる。更に、各原稿の下向き面の画像を読取る場合は、各原稿の上向き面の画像を読取って第２画像メモリ１５２に記憶することがないので、各原稿の下向き面の画像を記憶するために第２画像メモリ１５２を併用しても構わない。これにより、より多数の画像を記憶することが可能になる。
【００７７】
また、読取り制御部１０５は、各データ比較処理部１３６，１４６の判定結果が一致すれば（ステップＳ８で「Ｎｏ」かつステップＳ２１で「Ｎｏ」）、つまり原稿の両面が共に表面であったり、原稿の両面が共に裏面であれば、「原稿の読取りを行うことができません」というメッセージを表示画面（図示せず）に表示して、原稿の搬送及び読取りを中断させる（ステップＳ４１）。
【００７８】
従って、片面読取りモードに際しては、１枚目の原稿の両面の画像を第１及び第２読取り部１０，２３により読取って、この原稿の両面の画像に基づいて、この原稿の表面を判定し、２枚目以降の原稿については、原稿の表面の画像のみを第１及び第２読取り部１０，２３の一方により読取ると共に、他方による読取りを中断し、この他方の露光ランプを消灯している。
【００７９】
次に、読取り制御部１０５は、両面読取りモードが指示されていれば（ステップＳ７で「Ｎｏ」）、第１及び第２画像メモリ１５１，１５２内のそれぞれの画像データ、つまり原稿の両面の画像を示す画像データを外部機器１６１に出力する（ステップＳ３１）。そして、読取り制御部１０５は、原稿トレイ２２上の原稿が無くなるまで、原稿を原稿トレイ２２から引出して搬送し、原稿の両面の画像を第１及び第２読取り部１０，２３により読取り、原稿の両面の画像を第１及び第２画像メモリ１５１，１５２を介して外部機器１６１に出力する（ステップＳ３２）。尚、原稿トレイ２２上の各原稿の画像の全てを読取って第１及び第２画像メモリ１５１，１５２に記憶してから、該各原稿の画像の全てを外部機器１６１に出力しても良い。
【００８０】
この様に本実施形態では、片面読取りモードに際し、１枚目の原稿の両面の画像を第１及び第２読取り部１０，２３により読取って、この原稿の両面の画像に基づいて、この原稿の表面を判定し、２枚目以降の原稿については、原稿の表面の画像のみを第１及び第２読取り部１０，２３の一方により読取っているので、原稿トレイ２２上の各原稿の表面が下方及び上方のいずれに向けられていても、各原稿の表面を読取ることができる。また、２枚目以降の原稿の読取りのときには、第１及び第２読取り部１０，２３の他方による原稿の裏面の読取りを中断し、この他方の露光ランプを消灯しているので、消費電力が低減される。
【００８１】
尚、本発明は、上記実施形態に限定されるものではなく、多様に変形することができる。例えば、２枚目以降の原稿の読取りのときには、第１及び第２読取り部１０，２３のいずれかの露光ランプを消灯するだけではなく、第１及び第２画像処理部１２１，１２２のいずれかの電力供給を停止しても良い。これにより、より消費電力を低減することができる。また、２枚目以降の原稿を読取る読取り部の露光ランプの照度を上昇させて、２枚目以降の原稿の画像を１枚目の原稿の画像と同様の明るさにしているが、この代わりに２枚目以降の原稿の画像を読取ってから、この読取られた画像の明るさを画像処理により補正しても構わない。あるいは、１枚目の原稿の画像を読取って、この読取られた画像の明るさを画像処理により補正して、１枚目の原稿の画像を２枚目以降の原稿の画像と同様の明るさにしても良い。また、複数枚の原稿の両面の画像を読取って、各原稿の両面の画像に基づいて、各原稿の表面を判定し、次頁以降の原稿については、原稿の表面の画像のみを第１及び第２読取り部１０，２３の一方により読取っても良い。これにより、各原稿の表面をより確実に判定することが可能になる。ただし、両面読取りモードが長くなる分だけ、消費電力が増大したり、判定処理に時間を要する。
【００８２】
【発明の効果】
以上説明した様に本発明によれば、複数の原稿をトレイ上に載置するときには、各原稿の読取るべき面を下向き及び上向きのいずれか一方に揃えることから、例えば第１及び第２読取り手段による１枚目の原稿の読取り結果に基づいて、１枚目の原稿の読取るべき面を選択し、２枚目以降の原稿については、第１及び第２読取り手段のいずれかにより１枚目の原稿と同様の面を読取っている。これにより、トレイ上の各原稿の読取るべき面が下方及び上方のいずれに向けられていても、各原稿の読取るべき面を読取ることができる。また、原稿の読取るべき面が下向きであるか上向きであるかを迷わずに済み、原稿のセットをやり直す必要もない。更に、第１及び第２読取り手段の一方により２枚目以降の原稿を読取っているときに、第１及び第２読取り手段の他方の読取りを停止させているので、消費電力が低減され、画像を処理する処理回路の負担が減少され、処理時間も短くなり、寿命の低下を防止することができる。
【００８３】
また、本発明によれば、第１及び第２読取り手段のうちの選択しなかった他方への電力供給をオフにすることにより、消費電力を低減している。
【００８４】
更に、本発明によれば、少なくとも１枚目の原稿の両面の読取り完了から次頁以降の原稿の片面の読取り開始までの期間に、電力供給をオフにしているので、この電力供給のオフにより電圧変動等を生じて、光源の照度が変動したとしても、次頁以降の原稿の読取りに影響が及ぶことはない。
【００８５】
また、本発明によれば、第１及び第２読取り手段が両方共に動作するときと、一方が動作するときとのいずれかでは、第１及び第２読取り手段による読取りに対して補正を施して、読取られた原稿の画像の明るさを調整し、少なくとも１枚目の原稿の画像の明るさと次頁以降の原稿の画像の明るさを均一にして、画像品質の低下を防止している。
【００８６】
更に、本発明によれば、第１及び第２読取り手段の一方が動作するときに、この一方による読取りに対して補正を施しているので、１つの読取り手段による読取りのみに対して補正を施せば良く、この補正の処理が簡単になる。
【００８７】
また、本発明によれば、第１及び第２読取り手段の光源の光量に対する補正により、原稿の画像の明るさを調整している。
【００８８】
更に、本発明によれば、読取られた原稿の画像に対する補正により、原稿の画像の明るさを調整している。
【００８９】
また、本発明によれば、両面読取りモードに際しては、第１及び第２記憶手段を第１及び第２読取り手段に割り当て、また片面読取りモードに際しては、第１及び第２記憶手段を第１及び第２読取り手段の一方に割り当てているので、片面読取りモードでの画像の記憶容量が２倍となる。
【００９０】
更に、本発明によれば、各原稿を下方に向けたときには、各原稿を最終ページから逐次引き出し、各原稿の画像を順次読取って記憶手段に記憶することになるから、各原稿の画像を該各原稿の画像の記憶順序とは逆の順序で読み出して、各原稿の画像を第１ページから出力している。また、各原稿を上方に向けたときには、各原稿を第１ページから逐次引き出し、各原稿の画像を順次読取って記憶手段に記憶することになるから、各原稿の画像を該各原稿の画像の記憶順序で読み出して、各原稿の画像を第１ページから出力している。
【図面の簡単な説明】
【図１】本発明の画像読取り装置の一実施形態を示す側面図である。
【図２】本実施形態の画像読取り装置の構成を示すブロック図である。
【図３】本実施形態の画像読取り装置による処理過程を示すフローチャートである。
【符号の説明】
１  下部筐体
２  上部筐体
３  排紙トレイ
１０  第１読取り部
１１  プラテンガラス
１２  第１走査ユニット
１３  第２走査ユニット
２２  原稿トレイ
２３  第２読取り部
７０  原稿搬送部
１０１  第１光源制御基板
１０２  第２光源制御基板
１０５  読取り制御部
１５１  第１画像メモリ
１５２  第２画像メモリ
【図１】
0004067870.tif 000002
【図２】
0004067870.tif 000003
【図３】
0004067870.tif 000004